(57)【要約】      （修正有）【課題】前掛けレンズ構造を提供する。【解決手段】レンズフレーム１１と、２つのレンズ１５とを含む。該レンズフレームは、表面から少なくとも１つのフック部１３が外方へ延在する結合アーム１１１を含み、該フック部は、上部１３２と、該上部から下方へ延在する側部とを含み、該上部と側部との間には結合溝１３１が形成され、該上部または側部の内面には磁石１４が設けられている。該２つのレンズは該レンズフレームに結合される。該フック部は、鉄質の眼鏡枠に係着され、該磁石と該眼鏡枠との磁気作用により、前掛けレンズ１０は、鉄質眼鏡枠を有する大部分の眼鏡に掛着可能である。【選択図】図１
0003210482.tif 000002
【実用新案登録請求の範囲】
【請求項１】
結合アームを含み、該結合アームの表面から少なくとも１つのフック部が延在し、該フック部は上部と、該上部から下方へ延在する側部を含み、該上部と側部との間には開口が下方へ向かう結合溝が形成され、該上部または側部の内面には磁石が設けられているレンズフレームと、
該レンズフレームに結合された少なくとも１つのレンズと、
を備え、
該フック部はメイン眼鏡の眼鏡枠に係着され、該磁石と該眼鏡枠との磁気作用により、該前掛けレンズは該メイン眼鏡に掛着可能であることを特徴とする前掛けレンズ構造。
【請求項２】
該少なくとも１つのフック部は、該結合アームの中央に設けられていることを特徴とする請求項１に記載の前掛けレンズ構造。
【請求項３】
該結合アームの両側縁にはフック部がそれぞれ設けられていることを特徴とする請求項１に記載の前掛けレンズ構造。
【考案の詳細な説明】
【技術分野】
【０００１】
本考案は、眼鏡の前掛けレンズに関し、特に鉄質眼鏡枠に掛着可能な前掛けレンズ構造に関するものである。
【背景技術】
【０００２】
眼鏡は不良な視力を補助するための日常用品の一つである。視力の不良に応じて、眼鏡は少なくとも近視眼鏡、遠視眼鏡、弱視眼鏡及び老眼眼鏡に分けられる。さらに、遮光、偏光、防風等の機能性眼鏡もあるため、眼鏡の機能的類型はより多くなっている。
【０００３】
年齢の増加に伴い、人の目の視力は多少老化する現象がある。従って、近視眼鏡を掛ける一部の使用者は、万が一に備えるために、一般に、老眼眼鏡をさらに用意する必要がある。また、使用者は、光の強く、眩しい屋外環境にいる場合、目を保護するために、偏光眼鏡またはサングラスを掛け替えることがある。従って、眼鏡の使用者は、複数の眼鏡を同時に用意する必要があり、使用上の利便性が低い。
【０００４】
このため、眼鏡使用者が複数の眼鏡を同時に用意しなくてもよい前掛け型眼鏡がある。前掛け眼鏡は、メイン眼鏡と、メイン眼鏡に取り外し可能に付着された前掛けレンズとを含む。前掛けレンズは、遮光、偏光等の機能を有するレンズであることが多い。屋外環境の光が強く眩しい場合、前掛けレンズをメイン眼鏡の前方に掛着するだけで、メイン眼鏡の遮光機能を達成することができ、別の眼鏡を掛け替える必要はない。前掛けレンズの体積が小さくかつ重量が軽く、容易に身に着けて携帯できるため、使用上の利便性が高い。しかしながら、従来の前掛け型眼鏡の前掛けレンズは、メイン眼鏡と一体に構成されているため、異なるタイプのメイン眼鏡に掛着することができない。即ち、従来の前掛けレンズは、それに適合する特定のメイン眼鏡にのみ適用され、一般の鉄質眼鏡枠には適用できない。
【考案の概要】
【考案が解決しようとする課題】
【０００５】
そこで、本考案は、鉄質眼鏡枠を有する大部分のメイン眼鏡に掛着可能であり、より多くのタイプの眼鏡も前掛けレンズの機能を有するようにする前掛けレンズ構造を提供することを目的とする。
【課題を解決するための手段】
【０００６】
本考案に係る前掛けレンズ構造は、レンズフレームと、２つのレンズとを含む。該レンズフレームは、表面から少なくとも１つのフック部が外方へ延在する結合アームを含み、該フック部は、上部と、該上部から下方へ延在する側部とを含み、該上部と側部との間には結合溝が形成され、該上部または側部の内面には磁石が設けられている。該２つのレンズは該レンズフレームに結合される。該フック部は、メイン眼鏡の眼鏡枠に係着され、該磁石と該眼鏡枠との磁気作用により、該前掛けレンズは該メイン眼鏡に付着可能である。
【考案の効果】
【０００７】
本考案に係る前掛けレンズ構造によれば、フック部の係着機能と磁石の磁気作用により、該前掛けレンズを鉄質眼鏡枠を有する眼鏡に容易に掛着可能である。
【図面の簡単な説明】
【０００８】
【図１】本考案に係る前掛けレンズ構造の模式図である。
【図２】図１の前掛けレンズとメイン眼鏡の模式図である。
【図３】図２の前掛けレンズとメイン眼鏡とが結合された後の局所模式図である。
【図４】本考案に係る他の実施例の前掛けレンズがメイン眼鏡に結合された模式図である。
【図５】本考案に係るさらに他の実施例の前掛けレンズ構造の模式図である。
【図６】図５の前掛けレンズとメイン眼鏡との組み合わせ模式図である。
【考案を実施するための形態】
【０００９】
図１ないし図３は、本考案に係る実施例の前掛けレンズ１０を示す。その前掛けレンズ１０は、レンズフレーム１１と、２つのレンズ１５とを含む。レンズフレーム１１の中央には、フック部１３が設けられている。この実施例において、レンズフレーム１１は、長尺状の結合アーム１１１と含み、フック部１３は、結合アーム１１１の表面（後表面）から外方へ延在し、上部１３２と、上部１３２から下方へ延在する側部１３３とを含み、上部１３２と側部１３３との間には開口が下方へ向かう結合溝１３１が形成されている。また、フック部１３の内面には、永久磁石１４が設けられている。この実施例において、磁石１４は、側部１３３の内面に設けられている。さらに、レンズフレーム１１の底部には、２つの溝１２が設けられている。該２つの溝１２は、フック部１３の両側に位置し、該２つのレンズ１５が挿入結合される。この実施例において、結合アーム１１１の上には複数のねじ孔１２１が設けられ、ねじ２０がねじ孔１２１を通し各レンズ１５に当接することで、該２つのレンズ１５はレンズフレーム１１に固定される。レンズ１５は、遮光、偏光または老眼等の機能を有するレンズであってもよい。この実施例において、前掛けレンズ１０は、２つのレンズ１５を含むが、該２つのレンズ１５は、単一のレンズであってもよい。
【００１０】
本考案に係る前掛けレンズ１０は、メイン眼鏡３０（図２参照）に掛着可能である。このため、メイン眼鏡３０は、例えば遮光、偏光または老眼等の補助機能を有する。メイン眼鏡３０は、例えば鉄質の金属製眼鏡枠３１を含み、眼鏡枠３１の中央には中間ビーム３２が形成されている。フック部１３は、眼鏡枠３１の中間ビーム３２に掛着可能である（図３参照）。また、フック部１３が結合溝１３１で中間ビーム３２に掛着された後、フック部１３の内部の磁石１４と中間ビーム３２との磁気作用により、前掛けレンズ１０はメイン眼鏡３０に安定的に結合可能である。
【００１１】
図４は、本考案に係る他の実施例の前掛けレンズ１０を示す。そのうち、磁石１４は、上部１３２の内面に設けられており、眼鏡枠３１の中間ビーム３２は、十分な幅を有する。フック部１３が結合溝１３１で中間ビーム３２に掛着された後、フック部１３の内部の磁石１４は、中間ビーム３２の頂面３３に吸着可能であり、前掛けレンズ１０は、眼鏡枠３１に安定的に結合可能である。
【００１２】
図５、６は、本考案に係るさらに他の実施例の前掛けレンズ１０を示す。そのうち、結合アーム１１１の長さは、該２つのレンズ１５の外側まで延在し、結合アーム１１１の両側縁には、フック部１３がそれぞれ設けられている。各フック部１３の内面には、磁石１４が設けられている。前掛けレンズ１０が２つのフック部１３で眼鏡枠３１の両側に掛着された後、該２つのフック部１３の内部の磁石１４と眼鏡枠３１との吸着作用により、前掛けレンズ１０は、メイン眼鏡３０に結合され、メイン眼鏡３０に容易に掛着可能である効果を奏する。
【００１３】
本考案に係る前掛けレンズ１０は、フック部１３の係着、及び磁石１４の磁気作用により、鉄質眼鏡枠を有する大部分のメイン眼鏡に容易に掛着可能であるため、メイン眼鏡は、前掛けレンズ１０の補助機能を有する。従って、使用者は、前掛けレンズの付加的機能を要するため、他の眼鏡を携帯しまたは新しい前掛け型眼鏡を改めて買う必要もなくなっている。さらに、本考案に係る前掛けレンズ１０は、ねじ２０が弛んだ後、使用者の必要に応じて異なる機能のレンズに変換することができるため、利用上の利便性が高い。
【００１４】
上記のように、本考案に係る好ましい実施例の詳細と図面は、本考案を限定するものではなく、本考案の技術範囲に入るものである。
【００１５】
以上のように、本考案では、結合アームを含み、該結合アームの表面から少なくとも１つのフック部が延在し、該フック部は上部と、該上部から下方へ延在する側部を含み、該上部と側部との間には開口が下方へ向かう結合溝が形成され、該上部または側部の内面には磁石が設けられているレンズフレームと、該レンズフレームに結合された少なくとも１つのレンズと、を備え、該フック部はメイン眼鏡の眼鏡枠に係着され、該磁石と該眼鏡枠との磁気作用により、該前掛けレンズは該メイン眼鏡に掛着可能であることを特徴とする前掛けレンズ構造とするものである。
【００１６】
また、該少なくとも１つのフック部は、該結合アームの中央に設けられているものとする。
【００１７】
また、該結合アームの両側縁にはフック部がそれぞれ設けられているものとする。
【産業上の利用可能性】
【００１８】
本考案に係る前掛けレンズ構造によれば、フック部の係着機能と磁石の磁気作用により、該前掛けレンズを鉄質眼鏡枠を有する眼鏡に容易に掛着可能である。
【符号の説明】
【００１９】
１０  前掛けレンズ
１１  レンズフレーム
１１１  結合アーム
１２  溝
１２１  ねじ孔
１３  フック部
１３１  結合溝
１３２  上部
１３３  側部
１４  磁石
１５  レンズ
２０  ねじ
３０  メイン眼鏡
３１  眼鏡枠  
３２  中間ビーム
３３  頂面
【図１】
0003210482.tif 000003
【図２】
0003210482.tif 000004
【図３】
0003210482.tif 000005
【図４】
0003210482.tif 000006
【図５】
0003210482.tif 000007
【図６】
0003210482.tif 000008